(57)【要約】【課題】出隅部を覆うように取り付けて使用される出隅部保護材において、取扱い性を良好に保ちながらも、接着剤によって出隅部等が損傷してしまうことを防止する。【解決手段】アングル状に折り曲げ可能で出隅部５２を覆う養生シート部１２と、養生シート部１２が出隅部５２を覆ったときに接地する固定片１３を有する出隅保護材１１において、固定片１３を、固定片１３を曲げ伸ばし可能とする折り曲げ線３１を介して形成する。固定片１３の裏面には、スポンジ製のクッション層３３と、貼り付けるための接着剤層３４を、固定片１３側から順に備える。これによって、出隅部保護材１１を出隅部５２に対して立てかけるように固定する。【選択図】図１
2015190169.tif 000002
【特許請求の範囲】
【請求項１】
保護対象である出隅部を覆う養生シート部と、該養生シート部が前記出隅部を覆ったときに接地する固定片を有する出隅保護材であって、
前記固定片が該固定片を曲げ伸ばし可能とする折り曲げ線を介して形成されるとともに、
前記固定片の前記固定部位に対向する面に、弾性変位可能な柔軟性を有するクッション層と、前記固定部位に貼り付けるための接着剤層を、前記固定片側から順に備えた
出隅部保護材。
【請求項２】
前記クッション材が、連続発泡のスポンジからなる
請求項１に記載の出隅部保護材。
【請求項３】
前記養生シート部が、下端部に最も幅広の幅広部を有する形状である
請求項１または請求項２に記載の出隅部保護材。
【請求項４】
前記養生シート部が、左右両側縁に直線状または曲線状の傾斜辺を有する末広がり形状である
請求項１から請求項３のうちいずれか一項に記載の出隅部保護材。
【請求項５】
前記養生シート部の上端部における前記出隅部側の面に、弾性変位可能な柔軟性を有するクッション材が設けられた
請求項１から請求項４のうちいずれか一項に記載の出隅部保護材。
【請求項６】
前記養生シート部の幅方向の中間部に、長手方向に沿う折り曲げ部が形成されるとともに、
該折り曲げ部が、並設された複数本の折り曲げ線で構成され、
前記固定片を、前記折り曲げ部に対応する部位で区分された左右両側部分に対応して２枚備える
請求項１から請求項５のうちいずれか一項に記載の出隅部保護材。
【発明の詳細な説明】
【技術分野】
【０００１】
この発明は、たとえば建築中の建物などで出隅部を保護するための出隅部保護材に関する。
【背景技術】
【０００２】
このような出隅部保護材には、下記特許文献１に開示されたものがある。特許文献１の出隅部保護材は矩形の紙製段ボールで構成されている。出隅部保護材は、長手方向に二つ折りを可能とする折り曲げ用縦罫線を有し、下端部における折り曲げ用縦罫線の延長上には切れ目を有する。この切れ目で分割された両側部分は固定のための固定片となる。
【０００３】
この固定片は床面に対して貼り付けて固定される部分であり、そのための接着剤が貼り付け側の面に塗布されている。同様の接着剤（弱接着剤）は、紙製段ボールの上端部における貼り付け側の面にも塗布されている。
【０００４】
このような構成の出隅部保護材は、アングル状に折り曲げた状態で出隅部に固定される。つまり、下端の固定片と上端部を、それぞれの部分に塗布した接着剤を利用して出隅部に固定する。この固定状態においては、出隅部保護材の全体が出隅部に沿って貼り付いている。
【０００５】
出隅部保護材が出隅部を覆っているので、出隅部は衝突による損傷から保護される。
【０００６】
しかしながら、上端部の接着剤に弱接着剤を用いているものの、接着剤で接着を行うので、壁紙等を損傷してしまうおそれがある。壁紙を損傷してしまえば本末転倒である。また出隅部に接着されているので通気性を阻害するおそれもある。
【０００７】
この点、下記特許文献２には、接着剤に頼らずとも固定でき、通気性にも考慮した出隅部保護材が開示されている。この出隅部保護材は、断面Ｌ字状の長尺物で構成されている。断面Ｌ字状の長尺物の下端部に切り込みを入れて折り曲げ、特許文献１の出隅部保護材の固定片に相当する開脚部を形成する。断面Ｌ字状の長尺物の全体には、多数の貫通孔を有する。
【０００８】
出隅部の保護に際しては、出隅部保護材を出隅部に添えるようにして開脚部で支持させて設置する。つまり出隅部保護材を床面に置く。開脚部は、必要に応じて別体の粘着テープで固定される。
【０００９】
このような構成の出隅部保護材では、接着剤に頼らないので壁紙等を損傷するおそれがないうえに、通気性も確保できる。
【００１０】
しかし、特許文献２の出隅部保護材は、はじめから断面Ｌ字形に形成されているうえに、横に張り出す開脚部を有するので、嵩張る形状である。このため、運搬等に不利である。そのうえ、出隅部に添えるよう置かれているだけであるので、安定性を高めようとすれば、２枚の開脚部を長くしなければならず、更に嵩張る形状となってしまう。
【００１１】
つまり、特許文献２のような構成では、取扱い性がよくない。
【先行技術文献】
【特許文献】
【００１２】
【特許文献１】実開平４−４３６５７号公報
【特許文献２】特開２００６−５２５８５号公報
【発明の概要】
【発明が解決しようとする課題】
【００１３】
そこで、この発明は、取扱い性を良好に保ちながらも、接着剤によって出隅部等が損傷してしまうことを防止できるようにすることを主な目的とする。
【課題を解決するための手段】
【００１４】
そのための手段は、保護対象である出隅部を覆う養生シート部と、該養生シート部が前記出隅部を覆ったときに接地する固定片を有する出隅保護材であって、前記固定片が該固定片を曲げ伸ばし可能とする折り曲げ線を介して形成されるとともに、前記固定片の前記固定部位に対向する面に、弾性変位可能な柔軟性を有するクッション層と、前記固定部位に貼り付けるための接着剤層を、前記固定片側から順に備えた出隅部保護材である。
【００１５】
前記固定片に備えたクッション層は、固定片を接地させて養生シート部で出隅部を覆ったときに、柔軟に変形して養生シート部を出隅部方向に傾ける。またクッション層は、接着剤層を固定部位の凹凸等に柔軟に対応させ、接着面積を確保する。
【発明の効果】
【００１６】
この発明によれば、出隅部を保護する養生シート部は、クッション層によって立てかけるようにして固定され、しかもそのクッション層が接着面積を確保して良好な固定状態を得る。このため、接着剤によって出隅部等が損傷することを防止できる。また、固定片は曲げ伸ばし可能であるので嵩張らず、取扱い性がよい。
【図面の簡単な説明】
【００１７】
【図１】出隅部保護材の使用状態の斜視図。
【図２】出隅部保護材の平面図。
【図３】出隅部保護材の背面図。
【図４】作用を示す断面図。
【図５】他の例の出隅部保護材の使用状態の斜視図。
【図６】他の例に係る出隅部保護材の使用状態の斜視図。
【図７】他の例に係る出隅部保護材の使用状態の斜視図。
【発明を実施するための形態】
【００１８】
この発明を実施するための一形態を、以下図面を用いて説明する。  
図１は、出隅部保護材１１の使用状態を示す斜視図である。この図に示すように出隅部保護材１１は、縦に長い細幅板状で、壁５１の出隅部５２の床面５３から所望の高さ、たとえば８０ｃｍほどの高さまでの部分を覆って、衝突などで出隅部５２が損傷するのを防止するものである。
【００１９】
この出隅部保護材１１は、緩衝作用を果たす適宜厚の段ボールシートなどで形成され、出隅部５２を覆う養生シート部１２と、この養生シート部１２が出隅部５２を覆ったときに床面５３に接地する固定片１３を有する。段ボールシートを使用する場合、その段ボールシートは紙製でもプラスチック製でもいずれでもよい。
【００２０】
養生シート部１２は、展開状態の表面をあらわす図２と、展開状態の裏面をあらわす図３に示すように、出隅部５２の保護に必要な適宜幅で所望長さの略短冊形状である。具体的には、下端部に最も幅広２１の幅広部を有する。この幅広部２１を形成するため、左右両側縁には、下側ほど幅広の末広がり形状となるようにのびる直線状の傾斜辺２２を有している。傾斜辺２２は直線状のほか、曲線状であってもよい。また、下端部のみに幅広部２１を有する形状であってもよい。
【００２１】
養生シート部１２は、幅方向の中間部に、長手方向に沿う折り曲げ部２３を有する。折り曲げ部２３は切り込みを入れて形成された２本の折り曲げ線２４で構成される。これら折り曲げ線２４は平行に並設されており、折り曲げ線２４同士の間隔は、養生シート部１２を曲げやすくする適宜の間隔に設定されている。この間隔は養生シート部１２の厚さ等に応じて設定される。折り曲げ線２４は３本以上備えてもよい。
【００２２】
図２、図３において、一点鎖線は山折り線を、二点鎖線は谷折り線を示す。
【００２３】
養生シート部１２の下端には、前記固定片１３が、固定片１３を曲げ伸ばし可能とする折り曲げ線３１を介して一体に形成されている。養生シート部１２が幅方向の中間部に折り曲げ部２３を有するので、固定片１３は、折り曲げ部２３に対応する部位で区分された左右両側部分に対応して２枚備えられる。
【００２４】
固定片１３は略方形状で、固定片１３同士の間には、前記折り曲げ部２３の幅と同程度の幅の隙間３２を有する。固定片１３を連結する前記２本の折り曲げ線３１は、折り曲げ部２３の折り曲げ線２４に対して直角ではなく、養生シート部１２の左右両側ほど上がるように若干傾斜している。
【００２５】
固定片１３の裏面、つまり固定部位である床面５３に対向する面には、弾性変位可能な柔軟性を有するクッション層３３と、床面５３に貼り付けるための接着剤層３４を、固定片１３側から順に備えている。
【００２６】
クッション層３３は、固定片１３の全面に備えてもよいが、図示例では、折り曲げ線３１から離れた端部に設けた例を示している。クッション層３３は平面視長方形状で、出隅部保護材１１を弾力的に支えるのに必要な適宜の厚さに形成されている。クッション層３３の材料には適宜の材料を選択できるが、連続発泡のスポンジで構成するのが好ましい。
【００２７】
接着剤層３４はクッション層３３の全面に形成され、接着剤層３４は離型紙３５で被覆されている。
【００２８】
前述のクッション層３３と同様のクッション層２５を、図３に仮想線で示したように、養生シート部１２の上端部の裏面に備えることもできる。
【００２９】
以上のような構成の出隅部保護材１１は、図２、図３に示したように平板状であり、使用に際して次のように変形する。まず、養生シート部１２の折り曲げ部２３でアングル状に折り曲げる。癖がつくくらいに曲げたのち、固定片１３も折り曲げ線３１で折り曲げる。
【００３０】
つづいて、固定片１３の離型紙３５を剥がし、出隅部保護材１１で出隅部５２を覆うようにして、図１に示したように固定片１３の接着剤層３４を床面５３における出隅部５２から少し離した位置に固定する。
【００３１】
接着剤層３４はクッション層３３を有するので、床面５３にブルーシートが敷かれていたりして凹凸があっても、柔軟であるため接触面積を確保して、良好な固定状態を得られる。特にクッション層３３を連続発泡のスポンジで構成すると、柔軟性が高いので、より良好な固定状態を得ることができる。
【００３２】
接着剤層３４で固定すると、出隅部保護材１１は、図４に示したように、養生シート部１２の重量とクッション層３３の形成位置との協働によって、自然に出隅部５２側に傾く。つまり、養生シート部１２の上端部が図１に示したように出隅部５２に当たり、養生シート部１２が出隅部５２に立てかけられた状態となって出隅部５２を被覆する。このため、養生シート部１２と出隅部５２との間に隙間を形成し、通気性を確保することができる。
【００３３】
このようにして固定された出隅部保護材１１は出隅部５２を覆っているので、他の部材が出隅部５２に衝突しても、その間で緩衝の役割を果たし、出隅部５２を保護する。この緩衝作用は、固定片１３に設けられたクッション層３３によっても高められる。
【００３４】
図３に仮想線で示したように、養生シート部１２の裏面の上端部にもクッション層２５を備えた場合には、図５に示したように、養生シート部１２の上端部と出隅部５２が直接当たることを防止し、クッション性を持たせることができるので、より確実に出隅部５２を保護できる。
【００３５】
使用後は、固定片１３を床面５３から剥がすだけで取り外すことができ、養生シート部１２を出隅部５２から剥がす必要はないので、出隅部５２の損傷を防止できる。
【００３６】
また、出隅部５２に対する固定状態において、養生シート部１２は末広がり形状であるので安定性がよい。この安定性は、左右２枚の固定片１３によって更に高められる。つまり、養生シート部１２は立てかけられた状態で固定されるが、固定片１３によってバランスよく均等に支持されるからである。そのうえ、左右両側縁には傾斜辺２２を有するので、他の部材が出隅部５２に接触しても、力を逃がすことができる。このため、出隅部保護材１１が倒れたりすることを抑制し、良好な固定状態の維持できる。
【００３７】
さらに、出隅部保護材１１は使用前においては平板状であるため、嵩張らず、取扱い性がよい。そのうえ、養生シート部１２の折り曲げ部２３は、複数本の折り曲げ線２４で構成しているので、折り曲げ作業が容易で、折り曲げた状態を維持するような折り曲げも可能であるため、この点でも取扱い性がよい。
【００３８】
以下、その他の例に係る出隅部保護材１１について説明する。この説明において、前述の構成と同一または同等の部位については同一の符号を付してその詳しい説明を省略する。
【００３９】
図６は、他の例に係る出隅部保護材１１の斜視図であり、この出隅部保護材１１は、養生シート部１２の折り曲げ部２３が、下側ほど開く２本の折り曲げ線２４で構成されている。
【００４０】
この構成の出隅部保護材１１では、角の張り出しを小さくできる。このため、他の部材との接触を抑制でき、固定状態を良好に維持し、出隅部５２の保護の確実性を高めることができる。また、末転がり状に開く２本の折り曲げ線２４によって、固定片１３が広がるので、固定状態の安定性を高めることもできる。
【００４１】
図７は、他の例に係る出隅部保護材１１の斜視図であり、この出隅部保護材１１は、別体の出隅部保護継ぎ足し材４１を継ぎ足し可能に構成されている。つまり、出隅部保護材１１の上端部に出隅部保護継ぎ足し材４１を接続するための接続部１６が形成されている。
【００４２】
出隅部保護継ぎ足し材４１は、適宜長さの細幅帯状で、幅方向の中間部に、出隅部保護材１１の折り曲げ部２３と同じ折り曲げ部４２が形成されている。つまり、平行な２本の折り曲げ線４３を有する。
【００４３】
一方、出隅部保護材１１の接続部１６は、出隅部保護継ぎ足し材４１の下端部を挟み込む構造である。つまり接続部１６は、出隅部保護材１１の表面に接合された表板１６ａと裏面に接合された裏板１６ｂで構成されている。これら表板１６ａと裏板１６ｂは、出隅部保護材１１と同じ厚みの段ボールシートなどで方形状に形成され、それぞれの下方側部分が出隅部保護材１１に接合され、上部側が出隅部保護材１１の上端から突出している。このような接続部１６は、折り曲げ部２３を介して左右に配設されている。表板１６ａと裏板１６ｂの固定は、接着等の適宜手段で行える。
【００４４】
この構成の出隅部保護材１１では、前述と同様に使用される。その使用時には、表板１６ａと裏板１６ｂの間の隙間が裏板１６ｂの弾性変位を許容するので、出隅部５２に対する良好なクッション性が得られる。
【００４５】
そして、保護範囲を広げるべく出隅部保護継ぎ足し材４１を接続するときには、出隅部保護継ぎ足し材４１の下端部を接続部１６の表板１６ａと裏板１６ｂの間の隙間に差し込んで、挟持させる。出隅部保護材１１も出隅部保護継ぎ足し材４１もアングル状に曲げられるので、挟持によって幅方向の位置が保持され、位置ずれのない接続状態が得られる。この接続状態において、出隅部保護継ぎ足し材４１の荷重は出隅部保護材１１によって支持され、高い一体性が得られる。このため、前述のような所期の作用効果を得ることができる。
【００４６】
また、出隅部保護継ぎ足し材４１は接続のための特別な構成は不要であるので、長尺に形成されたものを適宜切断するだけで使用できる。このため取扱い性が良い。
【００４７】
前記接続部１６は、前記構成のほかにも適宜の構成とすることができる。
【００４８】
この発明の構成と前述の一形態の構成との対応において、  
この発明の固定部位は、前述の床面５３に対応するも、  
この発明は前述の構成のみに限定されるものでなく、その他の形態を採用することができる。
【００４９】
たとえば、養生シート部１２は長方形に形成してもよい。
【００５０】
また、養生シート部１２の上端部にクッション層２５を備える場合には、出隅部５２に当たる面に、壁紙に影響を与えない接着性を有する材料を備えたり、接触抵抗を高めるゴム等の材料を備えたりしてもよい。
【００５１】
固定片１３は、養生シート部１２に対して接着等で固定して備えることもできる。
【符号の説明】
【００５２】
１１…出隅部保護材
１２…養生シート部
１３…固定片
２１…幅広部
２２…傾斜辺
２３…折り曲げ部
２４…折り曲げ線
２５…クッション層
３１…折り曲げ線
３３…クッション層
３４…接着剤層
５２…出隅部
５３…床面
【図１】
2015190169.tif 000003
【図２】
2015190169.tif 000004
【図３】
2015190169.tif 000005
【図４】
2015190169.tif 000006
【図５】
2015190169.tif 000007
【図６】
2015190169.tif 000008
【図７】
2015190169.tif 000009